【手続補正書】
【提出日】平成18年9月19日(2006.9.19)
【手続補正１】
【補正対象書類名】明細書
【補正対象項目名】特許請求の範囲
【補正方法】変更
【補正の内容】
【特許請求の範囲】
【請求項１】
導体で構成された金属層を持つエンドレス部材に近接配置した電磁誘導コイルに交流電流を流し、このエンドレス部材を発熱させて被定着部材を加熱する構成の電子写真装置の定着装置において、
前記エンドレス部材の金属層の温度を検知する温度検知手段が前記エンドレス部材の金属層の回転方向に、所定の間隔で２カ所以上設けられていることを特徴とする定着装置。
【請求項２】
前記エンドレス部材の金属層の内側に、金属層の温度を検知する温度検知手段がさらに設けられていることを特徴とする請求項１記載の定着装置。
【請求項３】
導体で構成された金属層を持つエンドレス部材に近接配置した電磁誘導コイルに交流電流を流し、このエンドレス部材を発熱させて被定着部林を加熱する構成の電子写真装置の定着装置において、
前記コイルに通電が開始されて立ち上げ動作が開始された時、前記金属層が、最終設定温度よりも高い温度になった後に、前記エンドレス部材の回転が開始されることを特徴とする定着装置。
【請求項４】
導体で構成された金属層を持つエンドレス部材に近接配置した電磁誘導コイルに交流電流を流し、このエンドレス部材を発熱させて被定着部材を加熱する構成の電子写真装置の定着装置において、
待機時に前記エンドレス部材の金属層の円周方向の温度差が一定の値以上になった場合に、前記エンドレス部材が回転されることを特徴とする定着装置。
【請求項５】
導体で構成された金属層を持つエンドレス部材に近接配置した電磁誘導コイルに交流電流を流し、このエンドレス部材を発熱させて被定着部材を加熱する構成の電子写真装置の定着装置において、
前記コイルに通電された後の温度上昇具合または前記コイルへの通電が停止された後の温度下降具合から前記コイルを構成する電線材の温度を検知するデータテーブルを有し、上記温度上昇具合または前記温度下降具合のいづれかが規定値から外れる場合、駆動回路への電源が遮断されることを特徴とする定着装置。
【請求項６】
前記定着装置は、駆動電源ＯＮ時における電源出力と駆動電源がＯＮされてからの経過時間からコイル電線温度上昇を検知するテーブルを持ち、これらが規定値より外れる場合に、電源投入を停止することを特徴とする請求項５記載の定着装置。
【請求項７】
導体で構成された金属層を持つエンドレス部材に近接配置した電磁誘導コイルに交流電流を流し、このエンドレス部材を発熱させて被定着部材を加熱する構成の電子写真装置の定着装置において、
設定出力値に相当する出力が、前記コイルか前記エンドレス部材の金属層かに拘わらず、一定に出力されているかどうかを確認するためのフィードバック制御系を有することを特徴とする定着装置。
【請求項８】
導体で構成された金属層を持つエンドレス部材に近接配置した電磁誘導コイルに交流電流を流し、このエンドレス部材を発熱させて被定着部材を加熱する構成の電子写真装置の定着装置において、
動作モードに応じて複数の電力制御パターンにより制御されることを特徴とする定着装置。
【請求項９】
導体で構成された金属層を持つエンドレス部材に近接配置した電磁誘導コイルに交流電流を流し、このエンドレス部材を発熱させて被定着部材を加熱する構成の電子写真装置の定着装置において、
連続動作中に電力量を複数ステップで変化させることを特徴とする定着装置。
【請求項１０】
導体で構成された金属層を持つエンドレス部材に近接配置した電磁誘導コイルに交流電流を流し、このエンドレス部材を発熱させて被定着部材を加熱する構成の電子写真装置の定着装置において、
前記エンドレス部材の金属層の表面温度と前記コイルに電流を供給するためのスイッチング素子温度を検知して、それぞれの検知温度に基づいて、運転モードを切り替えることを特徴とする定着装置。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】変更
【補正の内容】
【００１４】
【課題を解決するための手段】
この発明は、上記問題点に基づきなされたもので、導体で構成された金属層を持つエンドレス部材に近接配置した電磁誘導コイルに交流電流を流し、このエンドレス部材を発熱させて被定着部材を加熱する構成の電子写真装置の定着装置において、
前記エンドレス部材の金属層の温度を検知する温度検知手段が前記エンドレス部材の金属層の回転方向に、所定の間隔で２カ所以上設けられていることを特徴とする定着装置を提供するものである。
【手続補正４】
【補正対象書類名】明細書
【補正対象項目名】００１８
【補正方法】変更
【補正の内容】
【００１８】
またさらにこの発明は、導体で構成された金属層を持つエンドレス部材に近接配置した電磁誘導コイルに交流電流を流し、このエンドレス部材を発熱させて被定着部材を加熱する構成の電子写真装置の定着装置において、設定出力値に相当する出力が、前記コイルか前記エンドレス部材の金属層かに拘わらず、一定に出力されているかどうかを確認するためのフィードバック制御系を有することを特徴とする定着装置を提供するものである。
【手続補正５】
【補正対象書類名】明細書
【補正対象項目名】００２９
【補正方法】変更
【補正の内容】
【００２９】
加熱ローラ２の周上であってニップ４よりも回転方向の下流側には、用紙Ｐを加熱ローラ３から剥離させる剥離爪５、加熱ローラ２の外周面にオフセット転写されたトナーや用紙からの紙粉等を除去するクリーニング部材６、加熱ローラ２の外周面にトナーが付着することを防止するために離型剤を塗布する離型剤塗布装置８、および加熱口―ラ２の外周面の温度を検出するサーミスタ９が設けられている。
【手続補正６】
【補正対象書類名】明細書
【補正対象項目名】００３８
【補正方法】変更
【補正の内容】
【００３８】
図１において、加熱ローラ２の表面温度は、サーミスタ９による温度検知と、検知結果のフィードバック制御によって、例えば１８０度に制御されている。
【手続補正７】
【補正対象書類名】明細書
【補正対象項目名】００３９
【補正方法】変更
【補正の内容】
【００３９】
用紙Ｐにトナーを定着するため必要な条件は、加熱ローラ２の円周方向の全域の温度を均一にすることである。加熱ローラ２の回転が停止している場合、図１に示した空芯コイルである励磁コイル１１の特性として、磁束発生が円周方向で異なる強さで作用するため、温度分布が不均一となる。従って、用紙Ｐがニップ４を通過する直前までに、ローラ２の円周方向の温度むらを解消しなければならない。
【手続補正８】
【補正対象書類名】明細書
【補正対象項目名】００４２
【補正方法】変更
【補正の内容】
【００４２】
加熱ローラ２の表面温度が１８０度に達すると、コピー動作が可能となり、所定のタイミングで用紙Ｐにトナー像が形成される。
【手続補正９】
【補正対象書類名】明細書
【補正対象項目名】００４４
【補正方法】変更
【補正の内容】
【００４４】
コイル支持部材１２に支持されている励磁コイル１１の内側には、励磁コイル１１の温度を検知する２つの温度センサ１３ａおよび１３ｂが設けられている。第１の温度センサ１３ａは、励磁コイル１１の加熱ローラ２の開口部（長手方向の端部）付近かつ円周方向の端部付近に、第２の温度センサ１３ｂは、円周方向において、第１のセンサ１３ａとの角度が概ね８０〜９０゜となる位置（円周方向の中央付近）かつ長手方向の概ね中央に、それぞれ設けられている（図４に詳細に示されている）。
【手続補正１０】
【補正対象書類名】明細書
【補正対象項目名】００５１
【補正方法】変更
【補正の内容】
【００５１】
一方、励磁コイル１１の開口部Ａ（加熱ローラ２自体が発熱しない場所）に取り付けられた温度検知センサ１３ａは、加熱ローラ２からの放射の影響が少なく、励磁コイル１１の銅損による影響を把握することができる。
【手続補正１１】
【補正対象書類名】明細書
【補正対象項目名】００７３
【補正方法】変更
【補正の内容】
【００７３】
これにより、加熱ローラ２の外表面の温度を、正確に、しかも高速度で制御可能である。なお、温度センサを図１に示すように、加熱ローラ２の外表面に配置する場合、温度センサが接触式である場合には、接触部分の加熱ローラ２の表面層が劣化することがあるが、図７に示す構成ではその心配がない。また、温度センサ２１３を、加熱ローラ２の金属層の内面に設けることは、従来のハロゲンヒータ加熱では、温度センサを取り付ける空間を確保することができないため、また、ハロゲンランプが高温になるために、実質的に困難であり、励磁コイル１１を、開口部を有する空芯コイルとしたことにより、初めて可能となった。
【手続補正１２】
【補正対象書類名】明細書
【補正対象項目名】００７９
【補正方法】変更
【補正の内容】
【００７９】
図９に示した定着装置４０１においては、立ち上げ時の制御は、図１０に示すフローチャートのように、駆動回路からの高周波電流により励磁コイル１１が加熱される程度をサーミスタ（温度センサ）４０９により逐次検知し（Ｓ１）、検知温度が通常使用時のローラ温度である１８０度よりも所定温度高い、例えば２００度になるまで（Ｓ２）加熱を継続し（Ｓ３）、ローラ温度が２００度に達した時点で（Ｓ２−Ｙｅｓ）、加熱ローラ２を回転させる。すなわち、励磁コイル１１に駆動電流を供給してから所定時間（ローラ２の温度が２００度に達するまで）は、加熱ローラ２を回転させずに、加熱する（Ｓ３）。
【手続補正１３】
【補正対象書類名】明細書
【補正対象項目名】００８０
【補正方法】変更
【補正の内容】
【００８０】
加熱ローラ２の表面の温度が２００度に達した時点で、ローラ２が回転されると（Ｓ４）、加熱ローラ２の外表面の温度は、加圧ローラ３により熱が奪われることで１６０度程度まで急速に低下するので、再び温度センサ４０９により加熱ローラ２の外表面の温度をモニタし（Ｓ５）、加熱ローラ２の外表面の温度が１８０度になるまで（Ｓ６）、励磁コイル１１に駆動電流を供給して加熱ローラ２を加熱する（Ｓ７）。
【手続補正１４】
【補正対象書類名】明細書
【補正対象項目名】００８１
【補正方法】変更
【補正の内容】
【００８１】
このようにして、温度センサ４０９により、加熱ローラ２の外表面の温度が１８０度に達したことが検知されるまで（Ｓ６−Ｙｅｓ）、励磁コイル１１に所定の電流が供給されてローラ２が加熱される（Ｓ７）。
【手続補正１５】
【補正対象書類名】明細書
【補正対象項目名】００８２
【補正方法】変更
【補正の内容】
【００８２】
このように、加熱ローラ２の外表面を加熱する際に、ローラ２の外表面に接触された温度センサ４０９が動作時のローラ表面制御温度（この実施の形態では回転時に１８０度でコントロールしている）よりも２０度程度高い温度になるまで（すなわち、この実施の形態では２００度になったとき）、加熱ローラ２を回転させずに加熱することで、加熱時間（ウォームアップ時間）を低減できる。
【手続補正１６】
【補正対象書類名】明細書
【補正対象項目名】００８３
【補正方法】変更
【補正の内容】
【００８３】
すなわち、図１０に示したように、加熱ローラ２の外表面を加熱する際に加熱ローラ２の外表面に接触された温度センサ４０９が動作時のローラ表面制御温度よりも所定の温度だけ高い温度になるまで加熱ローラ２を回転させずに加熱することで、加熱時間が低減され、加熱ローラ２を回転させると、数秒で加熱ローラ２の外表面の温度は概ね均一となる。以下、加熱ローラ２の外表面が例えば１８０度となるように、制御すればよい。
【手続補正１７】
【補正対象書類名】明細書
【補正対象項目名】００８４
【補正方法】変更
【補正の内容】
【００８４】
このように、励磁コイル１１を、開口部を有する空芯コイルとすることで、加熱ローラ２が回転されていない場合には、ローラ２の円周方向の温度が不均一になるが、温度センサ４０９をローラ２の外表面のうちの温度の一番高くなる位置に配置して、動作時の温度よりも高い温度までローラを回転させずに加熱することで、温度センサ４０９の位置ではローラの外表面の温度が動作時の温度に達しているにも拘わらず、その他の部分、例えばコイル開口部に対向するローラ２の表面の温度が、例えば１３０度程度の温度である場合に、ローラ２を回転させることで、ローラ２が回転されて外表面の温度が均一化された際に、ローラ２の表面温度が、動作時の温度よりも低い、例えば約１６０度に平均化されてしまい、その後加圧ローラ３と接触回転するために熱が奪われて加熱ローラ２の外表面の温度が動作時の温度に達するまでに要求される時間が増大されることを防止できる。
【手続補正１８】
【補正対象書類名】明細書
【補正対象項目名】００８５
【補正方法】変更
【補正の内容】
【００８５】
この加熱方法により、両ローラ２，３が回転された時点で、加熱ローラ２の外表面の温度が均一化して加熱ローラ２の温度が約１８０度となり、ウォームアップに要求される時間が、約１５秒、短縮された。
【手続補正１９】
【補正対象書類名】明細書
【補正対象項目名】００８６
【補正方法】変更
【補正の内容】
【００８６】
図１１は、図９に示した定着装置４０１を図１０に示した加熱制御により加熱する際の加熱ローラ２の各部の温度と加熱時間の関係を説明するグラフであって、励磁コイル１１の中央部（最も温度が上昇する部分）に対向させて温度センサ４０９を配置して、加熱時に、通常動作時の温度である１８０度よりも高い２００度まで加熱することにより、加熱ローラ２を回転させてローラ２の外表面の温度を均一化する際に、概ね１８０度の表面温度が、ローラ２が回転開始された時点で得られることが認められる。
【手続補正２０】
【補正対象書類名】明細書
【補正対象項目名】００９３
【補正方法】変更
【補正の内容】
【００９３】
図１３に示すように、レディー時（ウォームアップ終了後）は、加熱ローラ２は、回転が停止されている。この時の励磁コイル１１への通電すなわちローラ２の外表面の温度制御は、励磁コイル１１の中央部に対応するサーミスタ５０９ａにより（Ｓ１１）、サーミスタ５０９Ａの出力値が１８０度になるように（Ｓ１２）、励磁コイル１１が加熱されている（Ｓ１３）。
【手続補正２１】
【補正対象書類名】明細書
【補正対象項目名】００９４
【補正方法】変更
【補正の内容】
【００９４】
サーミスタ５０９Ａの出力値が１８０度に達した場合、サーミスタ５０９Ｂの出力値とサーミスタ５０９Ａの両方の出力値が参照され（Ｓ１４）、それぞれのサーミスタから出力された出力値すなわち両測定点の温度差が検知される（Ｓ１５）。
【手続補正２２】
【補正対象書類名】明細書
【補正対象項目名】００９５
【補正方法】変更
【補正の内容】
【００９５】
ステップＳ１５において、第１のサーミスタ５０９Ａの出力と第２のサーミスタ５０９Ｂの出力との差が所定の温度（ここでは、３０度とする）以上に達した場合（Ｓ１６−Ｙｅｓ）、加熱ローラ２が回転されて、加圧ローラ３も従動して回転される（Ｓ１７）。
【手続補正２３】
【補正対象書類名】明細書
【補正対象項目名】００９６
【補正方法】変更
【補正の内容】
【００９６】
これに対して、両サーミスタ５０９Ａと５０９Ｂとの差が３０度に達しない場合（Ｓ１６−Ｎｏ）、両ローラは、停止状態のまま励磁コイル１１への通電（加熱）が継続される（Ｓ１２ないしＳ１５）。
【手続補正２４】
【補正対象書類名】明細書
【補正対象項目名】００９８
【補正方法】変更
【補正の内容】
【００９８】
このように、待機中においては、加熱ローラ２の外表面であって、励磁コイル１１の中央部に対向する位置と励磁コイル１１の開口部に対向する位置のそれぞれの温度の差が一定以上（例えば、３０度以上）になった場合にのみ、両ローラ２，３を一定時間回転させることで、定着装置５０１の加熱ローラ２の温度が部分的に低下して、つぎの定着動作がリクエストされた際に、動作時温度に復帰するまでの待ち時間が低減される。
【手続補正２５】
【補正対象書類名】明細書
【補正対象項目名】０１００
【補正方法】変更
【補正の内容】
【０１００】
この温度分布差を解消するためには、加熱ローラ２を回転させて加圧ローラ３を用いて温度を均一化すればよいが、待機中に（加熱動作なしで）加熱ローラ２および加圧ローラ２を常時回転させると逆に加圧ローラ３により奪われる熱の影響により加熱ローラ２の外表面の温度が低下することになる。このことは、消費電力を増大することから、加熱ローラ２の円周方向の温度差が一定以上になったときにのみ、両ローラ２，３を数秒間回転させることにした。なお、加熱ローラ２の外表面に生じる温度分布差の許容値は、図示しない画像形成部により形成されたトナーが用紙Ｐにより定着装置５０１に搬送された際に加熱ローラ２の外表面の温度が動作時温度（１８０度）で均一になることのできる温度であればよく、図示しないスタートボタンがオンされてからトナーを保持した用紙Ｐが定着装置５０１に到達するまでの時間に、加熱ローラ２の外表面の温度が均一になることが可能であればよく、加熱ローラ２の外表面の温度が均一になるまでの間のローラ２の外表面に温度差があってもよい。
【手続補正２６】
【補正対象書類名】明細書
【補正対象項目名】０１０３
【補正方法】変更
【補正の内容】
【０１０３】
このように、励磁コイル１１に供給する駆動電流の大きさを予めメモリ１５１に記憶しておくことで、本来ならば、駆動電流を供給した時点から加熱ローラ２の表面の温度が一定の傾きで上昇して、メモリ１５１に記憶されたデータ内に収まるはずであるが、何らかの原因で励磁コイル１１の温度が、例えば２４０度程度まで著しく上昇した等の異常が生じている虞がある場合に、加熱ローラ２の外表面の温度変化により、励磁コイル１１の異常を検知することができる。
【手続補正２７】
【補正対象書類名】明細書
【補正対象項目名】０１０６
【補正方法】変更
【補正の内容】
【０１０６】
なお、メモリ１５１に温度上昇の傾きデータを記憶させる方法の他に、例えば加熱ローラ２の外表面の表面温度を一定の温度に設定することのできる駆動電流の供給時間（電源が投入されてからの経過時間）をメモリ１５１に記憶させて、例えば加熱ローラ２の外表面の温度の変化の時間を比較してもよい。この場合、例えば予想よりもはるかに駆動電流供給時間（ＯＮ時間）が短い場合に、励磁コイル１１の何らかのトラブルとみなすことができる。すなわち、加熱ローラ２の外表面の温度上昇が急激な場合には、励磁コイル１１の不良と判断して、コイル１１への駆動電流を停止することで、異常な発熱を防止することができる。
【手続補正２８】
【補正対象書類名】明細書
【補正対象項目名】０１０８
【補正方法】変更
【補正の内容】
【０１０８】
図１６に示すように、この発明の定着装置の駆動回路６３０は、商用電源の交流を整流回路３１と平滑コンデンサ３２によって整流し、コイル３３ａ、共振用コンデンサ３３ｂおよびスイッチング回路３３ｃからなるインバータ回路３３と、ＩＨ制御回路３８の前段であって、整流回路３１に入力される１次側の電力をモニタする入力検出器６３６を有している。
【手続補正２９】
【補正対象書類名】明細書
【補正対象項目名】０１１６
【補正方法】変更
【補正の内容】
【０１１６】
詳細には、図１８に示されるように、例えば１５００Ｗの商用電源を想定した場合、初期時には、図示しない複写機本体のうちの定着装置以外で消費する電力量を差し引いたすべての電力を励磁コイル１１に投入することができる。なお、この発明の実施の形態の場合は、１３００Ｗを投入している。その後、立ち上げ時の途中（加熱ローラ２の温度が１８０度を越えた時点）から、加熱ローラ２と加圧ローラ３が回転されるので、モータの回転により消費される電力やその他のプロセス等で発生する消費電力分を引き算した値として、この実施の形態では１１００Ｗを投入する。
【手続補正３０】
【補正対象書類名】明細書
【補正対象項目名】０１３５
【補正方法】変更
【補正の内容】
【０１３５】
以上説明したように、この発明の定着装置は、励磁コイルの温度上昇を正確に把握することができ、励磁コイルの長手方向温度分布も検知することができるので、励磁コイルが不所望に損傷を受けることが防止でき、励磁コイルの耐久性を向上させることが可能となる。なお、励磁コイルの温度を検知する温度センサは、励磁コイル開口部と中央部に設けられる。これにより加熱ローラの外表面の温度を均一に設定できる。しかも、コイルの温度を検知する温度センサは、加熱ローラの外周上で、約８０〜９０゜の間隔を置いて配置されるので、検知する加熱ローラの温度の温度分布の影響を受けない。さらに、コイルの温度ヲ検知するセンサは、エンドレス部材である加熱ローラの円周方向の温度むらと長手方向の温度むらの両方を検知することができる。これらの構成により、加熱ローラすなわちエンドレス部材の外表面は、均一に加熱される。
【手続補正３１】
【補正対象書類名】明細書
【補正対象項目名】０１３６
【補正方法】変更
【補正の内容】
【０１３６】
また、この発明の定着装置は、加熱ローラの温度むらを正確に把握することができる。なお、２ヶ所の温度検知手段によって、加熱ローラ長手方向の温度差だけでなく、円周方向の温度差の両方を検知することを目的とする。これにより、加熱ローラの円周方向の温度ムラが改善され、良好な定着性が得られる。すなわち、ローラの温度検知する温度検知センサは、ローラの外表面上で、概ね９０゜の間隔を置いて設けられ、しかもそれぞれがエンドレス部材の移動方向と垂直方向がそれぞれ異なる位置に位置されているので、加熱ローラの温度村が確実に検知されるので、ローラ温度を均一にできる。詳細には、励磁コイルは、コア材（磁性材）を持たない空芯コイルであり、エンドレス部材の内側に配置されており、温度センサが円周方向で２カ所以上であり、エンドレス部材の円周方向温度むらとエンドレス部材長手方向温度むらの両方を検知することができる。従って、ローラ温度が均一に設定される。
【手続補正３２】
【補正対象書類名】明細書
【補正対象項目名】０１３７
【補正方法】変更
【補正の内容】
【０１３７】
さらにこの発明の定着装置は、エンドレス部材（加熱ローラ）の内側で、励磁コイルの支持部に固定された温度検知手段を有することから、ローラ温度を高い熱応答性で検知可能である。また、コイルの異常な温度上昇を正確に検知することが可能である。なお、加熱ローラの外周の温度を検知するための非接触式の温度センサも用いられることから、励磁コイルとローラの温度差も確認することができる。また、温度センサは、エンドレス部材の内側で電磁誘導コイルの外側に配置されていることにより、エンドレス部材の温度検知とコイル外側の温度検知の両方を兼用することができる。
【手続補正３３】
【補正対象書類名】明細書
【補正対象項目名】０１３８
【補正方法】変更
【補正の内容】
【０１３８】
またさらに、この発明の定着装置は、ウォームアップ時間を短縮し、良好な定着性能を得ることが可能となる。また、消費電力を低減できる。なお、待機（レディー）状態で長時間放置した後でも良好な定着性能を得ることが可能となる。すなわち、通電開始時に、加熱ローラの円周方向温度の一番高い位置に設けられた温度センサにより、温度を検知することにより、加熱ローラの表面の設定温度よりも高い温度になった後に回転動作が開始されるので、短時間のウォームアップが可能である。また、立ち上げ動作（通電開始）時の最終設定温度よりも高い温度に到達するまでの間の出力電力値と回転動作開始後の出力電力値を可変することで、待機状態からの通常温度への復帰時間が短縮できる。
【手続補正３４】
【補正対象書類名】明細書
【補正対象項目名】０１３９
【補正方法】変更
【補正の内容】
【０１３９】
さらにまた、この発明の定着装置は、加熱ローラ内部の励磁コイルの温度上昇を予測し、励磁コイル温度を常にコイル耐熱温度以下に維持することを可能である。
【手続補正３５】
【補正対象書類名】明細書
【補正対象項目名】０１４０
【補正方法】変更
【補正の内容】
【０１４０】
またさらに、この発明の定着装置は、電磁誘導コイル（励磁コイル）、加熱ローラの取り付け位置誤差や、ローラを交換して生じる透磁率等の条件に関わらず、設定した出力値に応じた出力が一定の値で出力される。すなわち、通電開始時（立ち上げ動作時）に、電力フィードバック制御を実行することにより、コイルやローラの条件の影響を受けない、安定な動作が可能である。
【手続補正３６】
【補正対象書類名】明細書
【補正対象項目名】０１４１
【補正方法】変更
【補正の内容】
【０１４１】
さらにまた、この発明の定着装置は、ウォームアップ時間を短縮し、効率よくローラを加熱できる。すなわち、動作モードに応じて複数の周波数で電流を供給することにより、最短時間で通常動作時の温度に加熱できる。また、立ち上げ時駆動周波数を動作時駆動周波数よりも低く設定したので、高速な加熱が可能となる。
【手続補正３７】
【補正対象書類名】明細書
【補正対象項目名】０１４２
【補正方法】変更
【補正の内容】
【０１４２】
またさらに、この発明の定着装置は、連続運転中にもっとも消費電力が小さく、熱効率よく定着ローラを加熱できる制御が可能であり、消費電力を少なくできる。すなわち、誘導加熱により連続動作中に駆動周波数を変化させることで、消費電力が低減される。なお、加熱ローラの外周面の温度は、一定に維持できる。
【手続補正３８】
【補正対象書類名】明細書
【補正対象項目名】０１４３
【補正方法】変更
【補正の内容】
【０１４３】
さらにまた、この発明の定着装置は、定着ローラに供給できる電力量を測定することによって、効率のよい熱変換を実現している。また、駆動回路に不所望な損傷が生じることが防止できる。
【手続補正３９】
【補正対象書類名】明細書
【補正対象項目名】０１４４
【補正方法】変更
【補正の内容】
【０１４４】
またさらに、この発明の定着装置は、冷却ファンを所定のタイミングで駆動することにより、消費電力を最小限に抑えながら、効率よく冷却できる。すなわち、電磁誘導（励磁）コイル駆動回路のスイッチング素子の温度を検知し、この値によって冷却ファンを制御することで、消費電力を低減しながら、十分に冷却できる。